(57)【要約】【課題】ユーザの手間を減らすことができ、且つ、ユーザ所望の番組を見逃す可能性を減らすことができるテレビジョン受信装置及び自動通知システムを提供する。【解決手段】テレビジョン受信装置３と、テレビジョン受信装置３と通信可能な携帯電話機と、を備える自動通知システムにおいて、テレビジョン受信装置３に、ユーザによる操作部４０の操作により入力された検索条件を記憶する検索条件データテーブル４１３ａ２と、チューナ３１により取得されたＥＰＧ情報の中から、当該記憶された検索条件に合致するＥＰＧ情報を抽出する抽出プログラム４１３ｂ１を実行したＣＰＵ４１１と、当該抽出されたＥＰＧ情報を含む通知情報を、携帯電話機に送信する通信制御部３９と通知情報送信制御プログラム４１３ｂ２を実行したＣＰＵ４１１と、を備え、携帯電話機に、テレビジョン受信装置３により送信された通知情報を受信する通信制御部を備えるよう構成した。【選択図】図２
2008078781.tif 000002
【特許請求の範囲】
【請求項１】
テレビジョン放送波からテレビジョン放送信号を受信するテレビジョン放送信号受信手段を備えたテレビジョン受信装置と、当該テレビジョン受信装置と通信可能な携帯端末と、を備える自動通知システムにおいて、
前記テレビジョン受信装置は、
前記テレビジョン放送波から番組情報を取得する取得手段と、
番組を検索する検索条件を入力するための入力手段と、
前記入力手段により入力された検索条件を記憶する第１記憶手段と、
前記取得手段により取得された番組情報の中から、前記第１記憶手段に記憶された検索条件に合致する番組情報を抽出する抽出手段と、
前記抽出手段により抽出された番組情報を含む通知情報が送信される曜日及び時間を指定するための指定手段と、
前記指定手段により指定された曜日及び時間を記憶する第２記憶手段と、
前記第２記憶手段に記憶された曜日及び日時に、前記抽出手段により抽出された番組情報を含む通知情報を、前記携帯端末に送信する通知情報送信手段と、
前記携帯端末により送信された番組情報を含む予約情報を受信する予約情報受信手段と、
前記予約情報受信手段により受信された予約情報に含まれる番組情報の番組に関するテレビジョン放送信号を、前記テレビジョン放送信号受信手段に受信させる受信制御手段と、
前記受信制御手段により制御された前記テレビジョン放送信号受信手段により受信されたテレビジョン放送信号に基づく放送情報を記録手段に記録させる記録制御手段と、
を備え、
前記携帯端末は、
前記通知情報送信手段により送信された通知情報を受信する通知情報受信手段と、
前記通知情報受信手段により受信された通知情報に含まれる番組情報の中から所望の番組の番組情報を選択するための選択手段と、
前記選択手段により選択された番組情報を含む予約情報を、前記予約情報受信手段に送信する予約情報送信手段と、
を備えることを特徴とする自動通知システム。
【請求項２】
テレビジョン放送波からテレビジョン放送信号を受信するテレビジョン放送信号受信手段を備え、携帯端末と通信可能なテレビジョン受信装置において、
前記テレビジョン放送波から番組情報を取得する取得手段と、
番組を検索する検索条件を入力するための入力手段と、
前記入力手段により入力された検索条件を記憶する記憶手段と、
前記取得手段により取得された番組情報の中から、前記記憶手段に記憶された検索条件に合致する番組情報を抽出する抽出手段と、
前記抽出手段により抽出された番組情報を含む通知情報を、前記携帯端末に送信する通知情報送信手段と、
を備えることを特徴とするテレビジョン受信装置。
【請求項３】
テレビジョン放送波からテレビジョン放送信号を受信するテレビジョン放送信号受信手段を備えたテレビジョン受信装置と、当該テレビジョン受信装置と通信可能な携帯端末と、を備える自動通知システムにおいて、
前記テレビジョン受信装置は、
前記テレビジョン放送波から番組情報を取得する取得手段と、
番組を検索する検索条件を入力するための入力手段と、
前記入力手段により入力された検索条件を記憶する記憶手段と、
前記取得手段により取得された番組情報の中から、前記記憶手段に記憶された検索条件に合致する番組情報を抽出する抽出手段と、
前記抽出手段により抽出された番組情報を含む通知情報を、前記携帯端末に送信する通知情報送信手段と、
を備え、
前記携帯端末は、
前記通知情報送信手段により送信された通知情報を受信する通知情報受信手段を備えることを特徴とする自動通知システム。
【請求項４】
請求項３に記載の自動通知システムにおいて、
前記携帯端末は、
前記通知情報受信手段により受信された通知情報に含まれる番組情報の中から所望の番組の番組情報を選択するための選択手段と、
前記選択手段により選択された番組情報を含む予約情報を、前記テレビジョン受信装置に送信する予約情報送信手段と、
を備え、
前記テレビジョン受信装置は、
前記予約情報送信手段により送信された予約情報を受信する予約情報受信手段と、
前記予約情報受信手段により受信された予約情報に含まれる番組情報の番組に関するテレビジョン放送信号を、前記テレビジョン放送信号受信手段に受信させる受信制御手段と、
前記受信制御手段により制御された前記テレビジョン放送信号受信手段により受信されたテレビジョン放送信号に基づく放送情報を記録手段に記録させる記録制御手段と、
を備えることを特徴とする自動通知システム。
【請求項５】
請求項３又は４に記載の自動通知システムにおいて、
前記テレビジョン受信装置は、
前記通知情報送信手段により通知情報が送信される曜日及び時間を指定するための指定手段と、
前記指定手段により指定された曜日及び時間を記憶する第２記憶手段と、を備え、
前記通知情報送信手段は、前記第２記憶手段に記憶された曜日及び日時に、前記抽出手段により抽出された番組情報を含む通知情報を、前記通知情報受信手段に送信することを特徴とする自動通知システム。
【発明の詳細な説明】
【技術分野】
【０００１】
本発明は、テレビジョン受信装置及び自動通知システムに関する。
【背景技術】
【０００２】
従来、テレビジョン受信装置のユーザは、新聞や雑誌の番組欄を見たり、或いはテレビジョン受信装置により表示された電子番組ガイド（ＥＰＧ）情報に基づく番組表を見て、視聴したい番組や録画したい番組を検索している。
【０００３】
近年、ユーザが録画したい番組を自動的に録画することができるテレビジョン受信装置（記録再生装置）が提案されている。
具体的には、例えば、ユーザが、表示されたＥＰＧ情報に基づく番組表を見て、視聴済み番組や見逃し番組を指定すると、その指定された視聴済み番組や見逃し番組の再放送番組を自動録画することができるもの（例えば、特許文献１参照）や、ユーザの嗜好に基づく嗜好情報に基づいて、自動的に予約録画することができるもの（例えば、特許文献２参照）などが提案されている。
また、ユーザにより指定された番組の記録や再生を行っている他の記録再生装置から送信された電子メールを受信すると、その電子メールに含まれる指示に従って、当該番組の記録や再生の引継ぎを行うことができるものも提案されている（例えば、特許文献３参照）。
【特許文献１】特開２００４−１２８６２１号公報
【特許文献２】特開２００４−８０６２０号公報
【特許文献３】ＷＯ２００３−０３６９５４号公報
【発明の開示】
【発明が解決しようとする課題】
【０００４】
しかしながら、特許文献１の構成では、ユーザが、ＥＰＧ情報に基づく番組表を見て、視聴済み番組や見逃し番組を指定しなければ、視聴済み番組や見逃し番組の再放送番組を自動録画しないため、ユーザにとって煩わしいという問題がある。
また、特許文献２の構成では、嗜好情報に基づいて録画された番組の全てが、ユーザが録画したい番組であるとは限らないため、効率的でないという問題がある。
また、特許文献３にはユーザが録画したい番組が自動的に録画されるとの開示がされていないため、特許文献３の構成では、従来どおり、ユーザは、新聞や雑誌の番組欄を見たり、或いはテレビジョン受信装置により表示された電子番組ガイド（ＥＰＧ）情報に基づく番組表を見て、録画したい番組を検索しなければならず、ユーザにとって煩わしいという問題は解決できない。
【０００５】
本発明の課題は、ユーザの手間がさほどかからずに、ユーザ所望の番組を見逃す可能性を減らすことができるテレビジョン受信装置及び自動通知システムを提供することにある。
【課題を解決するための手段】
【０００６】
上記課題を解決するために、請求項１に記載の発明は、
テレビジョン放送波からテレビジョン放送信号を受信するテレビジョン放送信号受信手段を備えたテレビジョン受信装置と、当該テレビジョン受信装置と通信可能な携帯端末と、を備える自動通知システムにおいて、
前記テレビジョン受信装置は、
前記テレビジョン放送波から番組情報を取得する取得手段と、
番組を検索する検索条件を入力するための入力手段と、
前記入力手段により入力された検索条件を記憶する第１記憶手段と、
前記取得手段により取得された番組情報の中から、前記第１記憶手段に記憶された検索条件に合致する番組情報を抽出する抽出手段と、
前記抽出手段により抽出された番組情報を含む通知情報が送信される曜日及び時間を指定するための指定手段と、
前記指定手段により指定された曜日及び時間を記憶する第２記憶手段と、
前記第２記憶手段に記憶された曜日及び日時に、前記抽出手段により抽出された番組情報を含む通知情報を、前記携帯端末に送信する通知情報送信手段と、
前記携帯端末により送信された番組情報を含む予約情報を受信する予約情報受信手段と、
前記予約情報受信手段により受信された予約情報に含まれる番組情報の番組に関するテレビジョン放送信号を、前記テレビジョン放送信号受信手段に受信させる受信制御手段と、
前記受信制御手段により制御された前記テレビジョン放送信号受信手段により受信されたテレビジョン放送信号に基づく放送情報を記録手段に記録させる記録制御手段と、
を備え、
前記携帯端末は、
前記通知情報送信手段により送信された通知情報を受信する通知情報受信手段と、
前記通知情報受信手段により受信された通知情報に含まれる番組情報の中から所望の番組の番組情報を選択するための選択手段と、
前記選択手段により選択された番組情報を含む予約情報を、前記予約情報受信手段に送信する予約情報送信手段と、
を備えることを特徴とする。
【０００７】
請求項２に記載の発明は、
テレビジョン放送波からテレビジョン放送信号を受信するテレビジョン放送信号受信手段を備え、携帯端末と通信可能なテレビジョン受信装置において、
前記テレビジョン放送波から番組情報を取得する取得手段と、
番組を検索する検索条件を入力するための入力手段と、
前記入力手段により入力された検索条件を記憶する記憶手段と、
前記取得手段により取得された番組情報の中から、前記記憶手段に記憶された検索条件に合致する番組情報を抽出する抽出手段と、
前記抽出手段により抽出された番組情報を含む通知情報を、前記携帯端末に送信する通知情報送信手段と、
を備えることを特徴とする。
【０００８】
請求項３に記載の発明は、
テレビジョン放送波からテレビジョン放送信号を受信するテレビジョン放送信号受信手段を備えたテレビジョン受信装置と、当該テレビジョン受信装置と通信可能な携帯端末と、を備える自動通知システムにおいて、
前記テレビジョン受信装置は、
前記テレビジョン放送波から番組情報を取得する取得手段と、
番組を検索する検索条件を入力するための入力手段と、
前記入力手段により入力された検索条件を記憶する記憶手段と、
前記取得手段により取得された番組情報の中から、前記記憶手段に記憶された検索条件に合致する番組情報を抽出する抽出手段と、
前記抽出手段により抽出された番組情報を含む通知情報を、前記携帯端末に送信する通知情報送信手段と、
を備え、
前記携帯端末は、
前記通知情報送信手段により送信された通知情報を受信する通知情報受信手段を備えることを特徴とする。
【０００９】
請求項４に記載の発明は、
請求項３に記載の自動通知システムにおいて、
前記携帯端末は、
前記通知情報受信手段により受信された通知情報に含まれる番組情報の中から所望の番組の番組情報を選択するための選択手段と、
前記選択手段により選択された番組情報を含む予約情報を、前記テレビジョン受信装置に送信する予約情報送信手段と、
を備え、
前記テレビジョン受信装置は、
前記予約情報送信手段により送信された予約情報を受信する予約情報受信手段と、
前記予約情報受信手段により受信された予約情報に含まれる番組情報の番組に関するテレビジョン放送信号を、前記テレビジョン放送信号受信手段に受信させる受信制御手段と、
前記受信制御手段により制御された前記テレビジョン放送信号受信手段により受信されたテレビジョン放送信号に基づく放送情報を記録手段に記録させる記録制御手段と、
を備えることを特徴とする。
【００１０】
請求項５に記載の発明は、
請求項３又は４に記載の自動通知システムにおいて、
前記テレビジョン受信装置は、
前記通知情報送信手段により通知情報が送信される曜日及び時間を指定するための指定手段と、
前記指定手段により指定された曜日及び時間を記憶する第２記憶手段と、を備え、
前記通知情報送信手段は、前記第２記憶手段に記憶された曜日及び日時に、前記抽出手段により抽出された番組情報を含む通知情報を、前記通知情報受信手段に送信することを特徴とする。
【発明の効果】
【００１１】
請求項１に記載の発明によれば、テレビジョン受信装置は、入力手段によって、番組を検索する検索条件を入力することができ、第１記憶手段によって、入力手段により入力された検索条件を記憶することができ、抽出手段によって、取得手段により取得された番組情報の中から、第１記憶手段に記憶された検索条件に合致する番組情報を抽出することができ、通知情報送信手段によって、抽出手段により抽出された番組情報を含む通知情報を、携帯端末に送信することができる。そして、携帯端末は、通知情報受信手段によって、通知情報送信手段により送信された通知情報を受信することができる。
すなわち、ユーザが視聴したい番組や録画したい番組を、ユーザに通知することができるため、ユーザは視聴したい番組や録画したい番組を自ら検索する必要がなくなって、ユーザの手間がさほどかからずに、ユーザ所望の番組を見逃す可能性を減らすことができる。
【００１２】
また、携帯端末は、選択手段によって、通知情報受信手段により受信された通知情報に含まれる番組情報の中から所望の番組の番組情報を選択することができ、予約情報送信手段によって、選択手段により選択された番組情報を含む予約情報を、予約情報受信手段に送信することができる。そして、テレビジョン受信装置は、予約情報受信手段によって、携帯端末により送信された番組情報を含む予約情報を受信することができ、受信制御手段によって、予約情報受信手段により受信された予約情報に含まれる番組情報の番組に関するテレビジョン放送信号を、テレビジョン放送信号受信手段に受信させることができ、記録制御手段によって、受信制御手段により制御されたテレビジョン放送信号受信手段により受信されたテレビジョン放送信号に基づく放送情報を記録手段に記録させることができる。
すなわち、ユーザが通知された番組の中から録画したい番組を選択するだけで、その番組の録画予約をすることができるため、より一層、ユーザの手間を減らすことができる。
【００１３】
また、テレビジョン受信装置は、指定手段によって、抽出手段により抽出された番組情報を含む通知情報が送信される曜日及び時間を指定することができ、第２記憶手段によって、指定手段により指定された曜日及び時間を記憶することができ、通知情報送信手段によって、第２記憶手段に記憶された曜日及び日時に、抽出手段により抽出された番組情報を含む通知情報を、通知情報受信手段に送信することができる。
すなわち、ユーザが指定した曜日及び時間に、番組を通知するため、ユーザにとって利便性が高い。
【００１４】
請求項２に記載の発明によれば、入力手段によって、番組を検索する検索条件を入力することができ、記憶手段によって、入力手段により入力された検索条件を記憶することができ、抽出手段によって、取得手段により取得された番組情報の中から、記憶手段に記憶された検索条件に合致する番組情報を抽出することができ、通知情報送信手段によって、抽出手段により抽出された番組情報を含む通知情報を、携帯端末に送信することができる。
すなわち、ユーザが視聴したい番組や録画したい番組を、ユーザに通知することができるため、ユーザは視聴したい番組や録画したい番組を自ら検索する必要がなくなって、ユーザの手間がさほどかからずに、ユーザ所望の番組を見逃す可能性を減らすことができる。
【００１５】
請求項３に記載の発明によれば、テレビジョン受信装置は、入力手段によって、番組を検索する検索条件を入力することができ、記憶手段によって、入力手段により入力された検索条件を記憶することができ、抽出手段によって、取得手段により取得された番組情報の中から、記憶手段に記憶された検索条件に合致する番組情報を抽出することができ、通知情報送信手段によって、抽出手段により抽出された番組情報を含む通知情報を、携帯端末に送信することができる。そして、携帯端末は、通知情報受信手段によって、通知情報送信手段により送信された通知情報を受信することができる。
すなわち、ユーザが視聴したい番組や録画したい番組を、ユーザに通知することができるため、ユーザは視聴したい番組や録画したい番組を自ら検索する必要がなくなって、ユーザの手間がさほどかからずに、ユーザ所望の番組を見逃す可能性を減らすことができる。
【００１６】
請求項４に記載の発明によれば、請求項３に記載の発明と同様の効果が得られることは無論のこと、携帯端末は、選択手段によって、通知情報受信手段により受信された通知情報に含まれる番組情報の中から所望の番組の番組情報を選択することができ、予約情報送信手段によって、選択手段により選択された番組情報を含む予約情報を、テレビジョン受信装置に送信することができる。そして、テレビジョン受信装置は、予約情報受信手段によって、予約情報送信手段により送信された予約情報を受信することができ、受信制御手段によって、予約情報受信手段により受信された予約情報に含まれる番組情報の番組に関するテレビジョン放送信号を、テレビジョン放送信号受信手段に受信させることができ、記録制御手段によって、受信制御手段により制御されたテレビジョン放送信号受信手段により受信されたテレビジョン放送信号に基づく放送情報を記録手段に記録させることができる。
すなわち、ユーザが通知された番組の中から録画したい番組を選択するだけで、その番組の録画予約をすることができるため、より一層、ユーザの手間を減らすことができる。
【００１７】
請求項５に記載の発明によれば、請求項３又は４に記載の発明と同様の効果が得られることは無論のこと、テレビジョン受信装置は、指定手段によって、通知情報送信手段により通知情報が送信される曜日及び時間を指定することができ、第２記憶手段によって、指定手段により指定された曜日及び時間を記憶することができ、通知情報送信手段によって、第２記憶手段に記憶された曜日及び日時に、抽出手段により抽出された番組情報を含む通知情報を、通知情報受信手段に送信することができる。
すなわち、ユーザが指定した曜日及び時間に、番組を通知するため、ユーザにとって利便性が高い。
【発明を実施するための最良の形態】
【００１８】
以下、図を参照して、本発明にかかるテレビジョン受信装置及び自動通知システムの最良の形態を詳細に説明する。なお、発明の範囲は、図示例に限定されない。
【００１９】
＜自動通知システムの構成＞
まず、自動通知システム１の構成について、図１〜図７を参照して説明する。
自動通知システム１は、例えば、図１に示すように、テレビジョン放送波からテレビジョン放送信号（以下、「ＴＶ放送信号」という）を受信するテレビジョン受信装置３と、テレビジョン受信装置３と所定の規格に準じた無線通信ネットワークＮを介して接続され、テレビジョン受信装置３と通信可能な携帯端末としての携帯電話機５と、等を備えて構成される。
【００２０】
＜テレビジョン受信装置の構成＞
テレビジョン受信装置３は、例えば、図２に示すように、アンテナ３１ａを有するチューナ３１と、復調器３２と、デコーダ３３と、ＯＳＤ回路３６と、エンコーダ３７と、ＨＤＤ（Hard Disk Drive）３８と、通信制御部３９と、操作部４０と、制御部４１と、等を備えて構成される。各部は、バス３０によって接続されている。
また、テレビジョン受信装置３は、デコーダ３３と接続する音声出力部３４や映像表示部３５を備えている。
【００２１】
チューナ３１は、制御部４１から入力される制御信号に従って、例えば、テレビジョン放送信号受信手段として、テレビジョン放送波からＴＶ放送信号を受信する。
具体的には、チューナ３１は、例えば、アンテナ３１ａにより受信されたテレビジョン放送波（例えば、デジタル方式のテレビジョン放送波）から、ユーザ所望の番組のチャンネルに対応する周波数帯域に存在するＴＶ放送信号を受信し、そして、当該受信したＴＶ放送信号を変調して中間周波信号を生成し、復調器３２に出力する。
【００２２】
また、チューナ３１は、制御部４１から入力される制御信号に従って、例えば、取得手段として、テレビジョン放送波から番組情報としてのＥＰＧ情報を取得する。
具体的には、チューナ３１は、例えば、アンテナ３１ａにより受信されたテレビジョン放送波からＥＰＧ情報を取得して、制御部４１に出力する。
ここで、チューナ３１により取得されるＥＰＧ情報には、例えば、番組名、出演者名、番組のジャンル、チャンネル番号、放送開始時間、放送終了時間等に関する情報が含まれている。
【００２３】
復調器３２は、制御部４１から入力される制御信号に従って、例えば、チューナ３１から入力された中間周波信号に対してデジタル復調や誤り訂正などの処理を施して、ストリーム（例えば、トランスポートストリーム）をデコーダ３３に出力する。
【００２４】
デコーダ３３は、制御部４１から入力される制御信号に従って、例えば、復調器３２から入力されたストリームを音声データや映像データなどに分離し、当該音声データや当該映像データなどをデコードして、チューナ３１により受信されたＴＶ放送信号に基づく放送情報を生成する。
そして、デコーダ３３は、例えば、放送情報のうちの音声データを音声出力部３４に出力するとともに、放送情報のうちの映像データを映像表示部３５に出力する。
或いは、デコーダ３３は、例えば、放送情報をエンコーダ３７に出力する。
【００２５】
また、デコーダ３３は、制御部４１から入力される制御信号に従って、ＨＤＤ３８に記録された放送情報をデコードして、放送情報のうちの音声データを音声出力部３４に出力するとともに、放送情報のうちの映像データを映像表示部３５に出力する。
【００２６】
音声出力部３４は、例えば、スピーカ機器等であり、デコーダ３３から入力された音声データに基づく音声を出力する。
【００２７】
映像表示部３５は、例えば、液晶表示機器等であり、デコーダ３３から入力された映像データに基づく映像を表示したり、或いはＯＳＤ回路３６によりＯＳＤ表示信号が合成された、デコーダ３３から入力された映像データに基づく映像を表示する。
【００２８】
ＯＳＤ回路３６は、制御部４１から入力される制御信号に従って、例えば、映像表示部３５に所定のオンスクリーンディスプレイ（ＯＳＤ）表示をさせるためのＯＳＤ表示信号を、デコーダ３３から映像表示部３５に入力される映像データに合成する。
【００２９】
エンコーダ３７は、制御部４１から入力される制御信号に従って、例えば、デコーダ３３から入力された放送情報をエンコードして、ＨＤＤ３８に出力する。
【００３０】
ＨＤＤ３８は、例えば、磁気的記録媒体、光学的記録媒体、若しくは半導体メモリで構成される。
ＨＤＤ３８は、制御部４１から入力される制御信号に従って、例えば、記録手段として、エンコーダ３７から入力された、チューナ１１により受信されたＴＶ放送信号に基づく放送情報を記録する。
【００３１】
通信制御部３９は、例えば、無線通信ネットワークＮ上の各種機器（例えば、携帯電話機５等）と双方向通信を行って、当該各種機器との間で各種情報の送受信を行う。
【００３２】
具体的には、通信制御部３９は、例えば、予約情報受信手段として、携帯電話機５により送信されたＥＰＧ情報を含む予約情報を受信して、制御部４１に出力する。
【００３３】
操作部４０は、例えば、テレビジョン受信装置３の外面に備えられた操作ボタン（図示省略）や、テレビジョン受信装置３用のリモートコントローラ（図示省略）及び当該リモートコントローラと通信可能なリモコン受信部（図示省略）などから構成されており、例えば、ユーザにより操作されると、当該操作に伴う各種信号を制御部４１に出力する。
【００３４】
具体的には、操作部４０は、例えば、入力手段として、ユーザが、番組を検索する検索条件を入力する際に操作される。
また、操作部４０は、例えば、指定手段として、ユーザが、ＥＰＧ情報を含む通知情報が携帯電話機５に送信される曜日及び時間を指定する際に操作される。
【００３５】
より具体的には、ユーザは、操作部４０を操作して、例えば、映像表示部３５に表示された「通知条件設定」画面Ａにおいて、検索条件を入力するとともに、通知情報が送信される曜日及び時間を指定する。
「通知条件設定」画面Ａは、例えば、図３に示すように、“検索条件入力欄”Ｂ１と、“曜日時間指定欄”Ｂ２と、等を含んでいる。
【００３６】
“検索条件入力欄”Ｂ１には、「ジャンル」入力欄と、「検索ワード」入力欄と、「条件」入力欄と、「非検索ワード」入力欄と、等が含まれている。
「ジャンル」入力欄では、例えば、図４に示すように、ユーザが所望する番組のジャンルを、「―――（全て）」，「スポーツ」，「ニュース」，「バラエティ」，「料理」，「その他」の中から選択して入力できるようになっている。
「検索ワード」入力欄では、例えば、ユーザが所望する番組に関連するワード（番組名や出演者名など）を、１又は複数入力できるようになっている。
「条件」入力欄では、例えば、図５に示すように、「検索ワード」入力欄で入力された複数の検索ワードを、「ＡＮＤ」として扱うか、或いは「ＯＲ」として扱うかを選択して入力できるようになっている。
「非検索ワード」入力欄では、例えば、ユーザが所望しない番組に関連するワード（番組名や出演者名など）を、１又は複数入力できるようになっている。なお、非検索ワードは、例えば、検索ワードとの関係で「ＮＯＴ」として扱われる。
【００３７】
“曜日時間指定欄”Ｂ２には、「曜日」指定欄と、「時間」指定欄と、等が含まれている。
「曜日」指定欄では、例えば、通知情報が携帯電話機５に送信される曜日を選択して指定できるようになっている。
「時間」指定欄では、例えば、通知情報が携帯電話機５に送信される時間を選択して指定できるようになっている。
【００３８】
制御部４１は、例えば、図２に示すように、ＣＰＵ（Central Processing Unit）４１１と、ＲＡＭ（Random Access Memory）４１２と、記憶部４１３と、等を備えている。
【００３９】
ＣＰＵ４１１は、記憶部４１３に記憶されたテレビジョン受信装置３用の各種処理プログラムに従って各種の制御動作を行う。
【００４０】
ＲＡＭ４１２は、ＣＰＵ４１１によって実行される処理プログラムなどを展開するためのプログラム格納領域や、入力データや上記処理プログラムが実行される際に生じる処理結果などを格納するデータ格納領域などを備える。
【００４１】
記憶部４１３は、テレビジョン受信装置３で実行可能なシステムプログラム、当該システムプログラムで実行可能な各種処理プログラム、これら各種処理プログラムを実行する際に使用されるデータ、ＣＰＵ４１１によって演算処理された処理結果のデータなどを記憶する。なお、プログラムは、コンピュータが読み取り可能なプログラムコードの形で記憶部４１３に記憶されている。
【００４２】
具体的には、記憶部４１３は、例えば、図２に示すように、ＥＰＧ情報データテーブル４１３ａ１と、検索条件データテーブル４１３ａ２と、曜日時間データテーブル４１３ａ３と、予約時間データテーブル４１３ａ４と、抽出プログラム４１３ｂ１と、通知情報送信制御プログラム４１３ｂ２と、受信制御プログラム４１３ｂ３と、記録制御プログラム４１３ｂ４と、等を記憶している。
【００４３】
ＥＰＧ情報データテーブル４１３ａ１は、例えば、チューナ３１により取得されたＥＰＧ情報を記憶する。
【００４４】
検索条件データテーブル４１３ａ２は、例えば、記憶手段，第１記憶手段として、ユーザによる操作部４０の操作により入力された検索条件を記憶する。
すなわち、検索条件データテーブル４１３ａ２は、例えば、「通知条件設定」画面Ａ（図３等）の“検索条件入力欄”Ｂ１に含まれる、「ジャンル」入力欄に入力されたジャンルと、「検索ワード」入力欄に入力された検索ワードと、「条件」入力欄に入力された条件と、「非検索ワード」入力欄に入力された非検索ワードと、等を記憶する。
【００４５】
曜日時間データテーブル４１３ａ３は、例えば、第２記憶手段として、ユーザによる操作部４０の操作により指定された、通知情報が携帯電話機５に送信される曜日及び時間を記憶する。
すなわち、曜日時間データテーブル４１３ａ３は、例えば、「通知条件設定」画面Ａ（図３等）の“曜日時間指定欄”Ｂ２に含まれる、「曜日」指定欄において指定された曜日と、「時間」指定欄において指定された時間と、等を記憶する。
【００４６】
予約情報データテーブル４１３ａ４は、例えば、携帯電話機５により送信されて通信制御部３９により受信された予約情報を記憶する。
【００４７】
抽出プログラム４１３ｂ１は、例えば、チューナ１１により取得されてＥＰＧ情報データテーブル４１３ａ１に記憶されたＥＰＧ情報の中から、検索条件データテーブル４１３ａ２に記憶された検索条件に合致するＥＰＧ情報を抽出する機能を、ＣＰＵ４１１に実現させる。
ＣＰＵ４１１は、かかる抽出プログラム４１３ｂ１を実行することによって、抽出手段として機能する。
【００４８】
通知情報送信制御プログラム４１３ｂ２は、例えば、通信制御部３９を制御して、曜日時間データテーブル４１３ａ１に記憶された曜日及び日時に、抽出プログラム４１３ｂ１を実行したＣＰＵ４１１により抽出されたＥＰＧ情報を含む通知情報を、例えば、公知の電子メール方式で、携帯電話機５に送信させる機能を、ＣＰＵ４１１に実現させる。
なお、携帯電話機５のメールアドレスは、例えば、テレビジョン受信装置３に予め記憶されていることとする。
ここで、通知情報送信手段は、例えば、通信制御部３９と、通知情報送信制御プログラム４１３ｂ２を実行したＣＰＵ４１１と、等から構成される。
【００４９】
受信制御プログラム４１３ｂ３は、例えば、携帯電話機５により送信されて通信制御部３９により受信された予約情報に含まれるＥＰＧ情報の番組に関するＴＶ放送信号を、チューナ３１に受信させる機能を、ＣＰＵ４１１に実現させる。
ＣＰＵ４１１は、かかる受信制御プログラム４１３ｂ３を実行することによって、受信制御手段として機能する。
【００５０】
記録制御プログラム４１３ｂ４は、例えば、復調器３２と、デコーダ３３と、エンコーダ３７と、ＨＤＤ３８と、等を制御して、受信制御プログラム４１３ｂ３を実行したＣＰＵ４１１により制御されたチューナ１１により受信されたＴＶ放送信号に基づく放送情報をＨＤＤ３８に記録させる機能を、ＣＰＵ４１１に実現させる。
ＣＰＵ４１１は、かかる記録制御プログラム４１３ｂ４を実行することによって、記録制御手段として機能する。
【００５１】
（携帯電話機の構成）
携帯電話機５は、例えば、図６に示すように、通信制御部５１と、映像表示部５２と、操作部５３と、制御部５４と、等を備えて構成される。各部は、バス５０によって接続されている。
【００５２】
通信制御部５１は、例えば、無線通信ネットワークＮ上の各種機器（例えば、テレビジョン受信装置３等）と双方向通信を行って、当該各種機器との間で各種情報の送受信を行う。
【００５３】
具体的には、通信制御部５１は、例えば、通知情報受信手段として、テレビジョン受信装置３の通信制御部３９により送信された通知情報（例えば、公知の電子メール方式で送信された通知情報）を受信して、制御部５４に出力する。
【００５４】
映像表示部５３は、例えば、液晶表示機器等であり、制御部５４から入力される制御信号に従って、所定の映像データに基づく映像を表示する。
【００５５】
具体的には、映像表示部５３は、例えば、通信制御部５１により受信されて制御部５４（通信情報データテーブル５４３ａ１（後述））により記憶された通知情報に基づく「番組通知」画面Ｃを表示する。
「番組通知」画面Ｃにおいては、例えば、図７に示すように、ユーザ所望の番組のＥＰＧ情報に基づく情報（番組名、出演者名、ジャンル等）が、その番組が放送される曜日及び時間とともに通知される。
【００５６】
例えば、図７に示す「番組通知」画面Ｃにおいては、「日曜日」の「２１：００〜２３：００」に番組名等が「ＰＰＰＰＰ」の番組が放送され、「月曜日」の「８：００〜９：００」に番組名等が「ＱＱＱＱＱ」の番組が放送され、「水曜日」の「１８：００〜２０：００」に番組名等が「ＲＲＲＲＲ」の番組が放送され、「木曜日」の「１９：００〜２０：００」に番組名等が「ＴＴＴＴＴ」の番組が放送される旨が通知されている。
【００５７】
操作部５３は、例えば、携帯電話機５の外面に備えられた操作ボタン等から構成されており、例えば、ユーザにより操作されると、当該操作に伴う各種信号を制御部５４に出力する。
【００５８】
具体的には、操作部５３は、例えば、選択手段として、ユーザが、通信制御部５１により受信された通知情報に含まれるＥＰＧ情報の中からユーザ所望の番組のＥＰＧ情報を選択する際に操作される。
【００５９】
より具体的には、ユーザは、操作部５３を操作して、例えば、映像表示部５３に表示された「番組通知」画面Ｃ（図７）に表示されたＥＰＧ情報に基づく情報の中から、ユーザ所望の番組の情報を選択する。
ここで、「番組通知」画面Ｃにおいて選択されるユーザ所望の番組は、ユーザが録画予約したい番組のことである。
【００６０】
制御部５４は、例えば、図６に示すように、ＣＰＵ５４１と、ＲＡＭ５４２と、記憶部５４３と、等を備えて構成される。
【００６１】
ＣＰＵ５４１は、記憶部５４３に記憶された携帯電話機５用の各種処理プログラムに従って各種の制御動作を行う。
【００６２】
ＲＡＭ５４２は、ＣＰＵ５４１によって実行される処理プログラムなどを展開するためのプログラム格納領域や、入力データや上記処理プログラムが実行される際に生じる処理結果などを格納するデータ格納領域などを備える。
【００６３】
記憶部５４３は、携帯電話機５で実行可能なシステムプログラム、当該システムプログラムで実行可能な各種処理プログラム、これら各種処理プログラムを実行する際に使用されるデータ、ＣＰＵ５４１によって演算処理された処理結果のデータなどを記憶する。なお、プログラムは、コンピュータが読み取り可能なプログラムコードの形で記憶部５４３に記憶されている。
【００６４】
具体的には、記憶部５４３は、例えば、図６に示すように、通知情報データテーブル５４３ａ１と、予約情報送信制御プログラム５４３ｂ１と、等を記憶している。
【００６５】
通知情報データテーブル５４３ａ１は、例えば、テレビジョン受信装置３により送信されて通信制御部５１により受信された通知情報を記憶する。
【００６６】
予約情報送信制御プログラム５４３ｂ１は、例えば、通信制御部５１を制御して、通知情報に基づく「番組通知」画面Ｃ（図７）においてユーザによる操作部５３の操作により選択されたＥＰＧ情報を含む予約情報を、テレビジョン受信装置３に送信させる機能を、ＣＰＵ５４１に実現させる。
ここで、予約情報送信手段は、例えば、通信制御部５１と、予約情報送信制御プログラム５４３ｂ１を実行したＣＰＵ５４１と、から構成される。
【００６７】
＜自動通知システムによる処理＞
次に、自動通知システム１による処理について、図８〜図１１を参照して説明する。
【００６８】
（通知条件設定処理）
まず、自動通知システム１のテレビジョン受信装置３による、ユーザ所望の番組の通知に際する通知条件の設定に関する処理について、図８のフローチャートを参照して説明する。
【００６９】
テレビジョン受信装置３の映像表示部３５に表示された「通知条件設定」画面Ａにおいて、ユーザによる操作部４０の操作により、番組を検索する検索条件（ジャンル，検索ワード，非検索ワード等）が入力されて、携帯電話機５に通知情報（電子メール）が送信される曜日及び時間が指定されると（ステップＳ１１）、テレビジョン受信装置３のＣＰＵ４１１は、ステップＳ１１にて入力された検索条件を、検索条件データテーブル４１３ａ２に記憶させるとともに（ステップＳ１２）、ステップＳ１１にて指定された曜日及び時間を、曜日時間データテーブル４１３ａ３に記憶させて（ステップＳ１３）、本処理を終了する。
【００７０】
（番組通知処理）
次に、自動通知システム１による、ユーザ所望の番組の通知に関する処理について、図９のフローチャートを参照して説明する。
【００７１】
まず、テレビジョン受信装置３のＣＰＵ４１１は、曜日時間データテーブル４１３ａ３に記憶された曜日及び時間になったと判断すると（ステップＳ３１）、抽出プログラム４１３ｂ１を実行して、チューナ１１により取得されてＥＰＧ情報データテーブル４１３ａ１に記憶されたＥＰＧ情報の中から、検索条件データテーブル４１３ａ２に記憶された検索条件のうちのジャンルに属する番組のＥＰＧ情報を抽出する（ステップＳ３２）。
【００７２】
次いで、ＣＰＵ４１１は、ステップＳ３２にて抽出されたＥＰＧ情報の中から、検索条件データテーブル４１３ａ２に記憶された検索条件のうちの検索ワードを含むＥＰＧ情報を抽出する（ステップＳ３３）。
ここで、ＣＰＵ４１１は、検索条件データテーブル４１３ａ２に記憶された検索条件のうちの条件（「ＡＮＤ」又は「ＯＲ」）に配慮して、検索条件のうちの検索ワードを含むＥＰＧ情報を抽出する。
【００７３】
次いで、ＣＰＵ４１１は、ステップＳ３３にて抽出されたＥＰＧ情報の中から、検索条件データテーブル４１３ａ２に記憶された検索条件のうちの非検索ワードを含むＥＰＧ情報以外のＥＰＧ情報を抽出する（ステップＳ３４）。
すなわち、ＣＰＵ４１１は、ステップＳ３３にて抽出されたＥＰＧ情報の中から、非検索ワードを含むＥＰＧ情報を排除する。
【００７４】
次いで、ＣＰＵ４１１は、通知情報送信制御プログラム４１３ｂ２を実行して、通信制御部３９を制御して、ステップＳ３４にて抽出されたＥＰＧ情報を含む通知情報（電子メール）を、携帯電話機５へ送信させる（ステップＳ３５）。
【００７５】
ステップＳ３５にて送信された通知情報（電子メール）を、携帯電話機５の通信制御部５１が受信すると（ステップＳ３６）、携帯電話機５のＣＰＵ５４１は、ステップＳ３６にて受信された通知情報（電子メール）を、通知情報データテーブル５４３ａ１に記憶させて（ステップＳ３７）、本処理を終了する。
【００７６】
（録画予約処理）
次に、自動通知システム１による、ユーザ所望の番組の録画予約に関する処理について、図１０のフローチャートを参照して説明する。
【００７７】
まず、携帯電話機５の映像表示部５２に表示された通知情報（電子メール）に基づく「番組通知」画面Ｃにおいて、ユーザによる操作部５３の操作により、ユーザが録画したい、ユーザ所望の番組のＥＰＧ情報が選択されると（ステップＳ５１）、携帯電話機５のＣＰＵ５４１は、予約情報送信制御プログラム５４３ｂ１を実行して、通信制御部５１を制御して、ステップＳ５１にて選択されたＥＰＧ情報を含む予約情報を、テレビジョン受信装置３に送信させる（ステップＳ５２）。
【００７８】
ステップＳ５２にて送信された予約情報を、テレビジョン受信装置３の通信制御部３９が受信すると（ステップＳ５３）、テレビジョン受信装置３のＣＰＵ４１１は、ステップＳ５３にて受信された予約情報を、予約情報データテーブル４１３ａ４に記憶させて（ステップＳ５４）、本処理を終了する。
【００７９】
（録画処理）
次に、自動通知システム１のテレビジョン受信装置３による、録画予約された番組の録画に関する処理について、図１１のフローチャートを参照して説明する。
【００８０】
まず、テレビジョン受信装置３のＣＰＵ４１１は、予約情報データテーブル４１３ａ４に記憶された予約情報に含まれるＥＰＧ情報の番組の放送開始時間になったと判断すると（ステップＳ７１）、受信制御プログラム４１３ｂ３を実行して、ステップＳ７１にて放送開始時間になったと判断された番組に関するＴＶ放送信号を、チューナ３１に受信させる（ステップＳ７２）。
【００８１】
次いで、ＣＰＵ４１１は、記録制御プログラム４１３ｂ４を実行して、復調器３２と、デコーダ３３と、エンコーダ３７と、ＨＤＤ３８と、等を制御して、ステップＳ７２にて受信されたＴＶ放送信号に基づく放送情報をＨＤＤ３８に記録させて（ステップＳ７３）、本処理を終了する。
【００８２】
以上説明した本発明のテレビジョン受信装置３及び自動通知システム１によれば、テレビジョン受信装置３は、チューナ３１によって、テレビジョン放送波からＥＰＧ情報（番組情報）を取得することができ、ユーザによる操作部４０の操作によって、番組を検索する検索条件を入力することができ、検索条件データテーブル４１３ａ２によって、ユーザによる操作部４０の操作により入力された検索条件を記憶することができ、抽出プログラム４１３ｂ１を実行したＣＰＵ４１１によって、チューナ３１により取得されたＥＰＧ情報の中から、検索条件データテーブル４１３ａ２に記憶された検索条件に合致するＥＰＧ情報を抽出することができ、通信制御部３９と通知情報送信制御プログラム４１３ｂ２を実行したＣＰＵ４１１によって、抽出プログラム４１３ｂ１を実行したＣＰＵ４１１により抽出されたＥＰＧ情報を含む通知情報を、携帯電話機５に送信することができる。そして、携帯電話機５は、通信制御部５１によって、テレビジョン受信装置３により送信された通知情報を受信することができる。
すなわち、ユーザが視聴したい番組や録画したい番組を、ユーザに通知することができるため、ユーザは視聴したい番組や録画したい番組を自ら検索する必要や、例えば、嗜好情報等に基づいて番組が録画される場合のように、録画された番組の中から録画したくなかった番組（視聴したくない番組）を自ら消去する必要がなくなって、ユーザの手間を減らすことができ、且つ、ユーザ所望の番組を見逃す可能性を減らすことができる。
【００８３】
また、携帯電話機５は、ユーザによる操作部５３の操作によって、通信制御部５１により受信された通知情報に含まれるＥＰＧ情報の中から所望の番組のＥＰＧ情報を選択することができ、通信制御部５１と予約情報送信制御プログラム５４３ｂ１を実行したＣＰＵ５４１によって、ユーザによる操作部５３の操作により選択されたＥＰＧ情報を含む予約情報を、テレビジョン受信装置３に送信することができる。そして、テレビジョン受信装置３は、通信制御部３９によって、携帯電話機５により送信された予約情報を受信することができ、受信制御プログラム４１３ｂ３を実行したＣＰＵ４１１によって、通信制御部３９により受信された予約情報に含まれるＥＰＧ情報の番組に関するＴＶ放送信号を、チューナ３１に受信させることができ、記録制御プログラム４１３ｂ４を実行したＣＰＵ４１１によって、受信制御プログラム４１３ｂ３を実行したＣＰＵ４１１により制御されたチューナ３１により受信されたＴＶ放送信号に基づく放送情報をＨＤＤ３８に記録させることができる。
すなわち、ユーザが通知された番組の中から録画したい番組を選択するだけで、その番組の録画予約をすることができるため、より一層、ユーザの手間を減らすことができる。
【００８４】
また、テレビジョン受信装置３は、ユーザによる操作部４０の操作によって、携帯電話機５に通知情報が送信される曜日及び時間を指定することができ、曜日時間データテーブル４１３ａ３によって、ユーザによる操作部４０の操作により指定された曜日及び時間を記憶することができ、通信制御部３９と通知情報送信制御プログラム４１３ｂ２を実行したＣＰＵ４１１によって、曜日時間データテーブル４１３ａ３に記憶された曜日及び日時に、抽出プログラム４１３ｂ１を実行したＣＰＵ４１１により抽出されたＥＰＧ情報を含む通知情報を、携帯電話機５に送信することができる。
すなわち、ユーザが指定した曜日及び時間に、番組を通知するため、ユーザにとって利便性が高い。
【００８５】
なお、本発明は、上記した実施の形態のものに限るものではなく、その要旨を逸脱しない範囲で適宜変更可能である。
【００８６】
携帯端末は、携帯電話機５の限りでなく、テレビジョン受信装置３と通信可能な携帯端末であれば、例えば、ＰＤＡ（Personal Digital Assistants）等であってもよく、任意である。
【００８７】
携帯電話機５に対するテレビジョン受信装置３の個数は、図１に限るものではなく、任意である。
例えば、テレビジョン受信装置３が、複数の携帯電話機５に接続される場合には、検索条件データテーブル４１３ａ２に記憶した検索条件と、曜日時間データテーブル４１３ａ３に記憶した曜日及び時間と、予約情報データテーブル４１３ａ４に記憶した予約情報と、等を、携帯電話機５を識別するための識別情報（例えば、携帯電話機５のメールアドレス）を用いて整理する必要がある。
【００８８】
検索条件を入力するとともに通知情報が送信される曜日及び時間を指定するための「通知条件設定」画面Ａは、図３等に限るものではなく、ユーザ所望の番組を検索する検索条件を入力することができ、ユーザ所望の番組を通知する通知情報が送信される曜日及び時間を指定することができるのであれば、任意である。
また、検索条件は、ジャンルや検索ワード、非検索ワードなどに限るものではなく、ユーザ所望の番組を検索する際に用いることができる条件であれば、任意である。
【００８９】
通知情報に基づく「番組通知」画面Ｃは、図７に限るものではなく、ユーザ所望の番組を通知することができるのであれば、任意である。
【００９０】
通知情報に基づく「番組通知」画面Ｃに表示されたＥＰＧ情報（番組名、出演者名、ジャンル等）が選択されると、直ちに当該選択されたＥＰＧ情報を含む予約情報を、テレビジョン受信装置３に送信するようにしたが、例えば、「番組通知」画面Ｃの大きさ等の制限によりＥＰＧ情報に基づく情報（番組名、出演者名、ジャンル等）の全てを表示しきれない場合には、「番組通知」画面Ｃにおいて１つの番組が選択されると、当該選択された１つの番組のＥＰＧ情報に基づく情報の全てを表示するとともに、例えば、「予約」ボタンを表示し、そして、ユーザによる操作部５１の操作により「予約」ボタンが押下されると、当該選択された１つの番組のＥＰＧ情報を含む予約情報を、テレビジョン受信装置３に送信するようにしてもよい。
【図面の簡単な説明】
【００９１】
【図１】本発明にかかる自動通知システムの全体構成を示す図である。
【図２】本発明にかかる自動通知システムのテレビジョン受信装置の機能的構成を示す図である。
【図３】「通知条件設定」画面を説明するための第１の図である。
【図４】「通知条件設定」画面を説明するための第２の図である。
【図５】「通知条件設定」画面を説明するための第３の図である。
【図６】本発明にかかる自動通知システムの携帯電話機の機能的構成を示す図である。
【図７】「番組通知」画面を説明するための図である。
【図８】本発明にかかる自動通知システムのテレビジョン受信装置による、ユーザ所望の番組の通知に際する通知条件の設定に関する処理を説明するためのフローチャートである。
【図９】本発明にかかる自動通知システムによる、ユーザ所望の番組の通知に関する処理を説明するためのフローチャートである。
【図１０】本発明にかかる自動通知システムによる、ユーザ所望の番組の録画予約に関する処理を説明するためのフローチャートである。
【図１１】本発明にかかる自動通知システムのテレビジョン受信装置による、録画予約された番組の録画に関する処理を説明するためのフローチャートである。
【符号の説明】
【００９２】
１  自動通知システム
３  テレビジョン受信装置
３１  チューナ（テレビジョン放送信号受信手段、取得手段）
３８  ＨＤＤ（記録手段）
３９  通信制御部（通知情報送信手段、予約情報受信手段）
４０  操作部（入力手段、指定手段）
４１１  ＣＰＵ（抽出手段、通知情報送信手段、受信制御手段、記録制御手段）
４１３ａ２  検索条件データテーブル（記憶手段，第１記憶手段）
４１３ａ３  曜日時間データテーブル（第２記憶手段）
４１３ｂ１  抽出プログラム（抽出手段）
４１３ｂ２  通知情報送信制御プログラム（通知情報送信手段）
４１３ｂ３  受信制御プログラム（受信制御手段）
４１３ｂ４  記録制御プログラム（記録制御手段）
５  携帯電話機（携帯端末）
５１  通信制御部（通知情報受信手段、予約情報送信手段）
５３  操作部（選択手段）
５４１  ＣＰＵ（予約情報送信手段）
５４３ｂ１  予約情報送信制御プログラム（予約情報送信手段）
【図１】
2008078781.tif 000003
【図２】
2008078781.tif 000004
【図３】
2008078781.tif 000005
【図４】
2008078781.tif 000006
【図５】
2008078781.tif 000007
【図６】
2008078781.tif 000008
【図７】
2008078781.tif 000009
【図８】
2008078781.tif 000010
【図９】
2008078781.tif 000011
【図１０】
2008078781.tif 000012
【図１１】
2008078781.tif 000013